【手続補正書】
【提出日】平成26年4月3日(2014.4.3)
【手続補正１】
【補正対象書類名】特許請求の範囲
【補正対象項目名】全文
【補正方法】変更
【補正の内容】
【特許請求の範囲】
【請求項１】
ラベルプリンタ用のカセット（４００、６００）であって、
該カセットがプリンタ内に正しく挿入されたとき、プリンタの協働する係止要素（２４、２６、２８、３０、３２）に係合する少なくとも一つの係止部材（４１６、４１８；６１６、６１８）を有し、
前記係止部材（４１６、４１８；６１６、６１８）は導電接触領域（４１７、４１９；６１７、６１９）を有する前記カセット。
【請求項２】
請求項１に記載のカセットであって、
前記導電接触領域（４１７、４１９；６１７、６１９）は導電接触棒体（４１７、４１９；６１７、６１９）である前記カセット。
【請求項３】
請求項２に記載のカセットであって、
前記導電接触棒体（４１７、４１９；６１７、６１９）はカセットの側部（Ａ、Ｃ）に沿って伸びている前記カセット。
【請求項４】
請求項２又は３に記載のカセットであって、
前記導電接触棒体（４１７、４１９；６１７、６１９）は円形断面を有する前記カセット。
【請求項５】
請求項２又は３に記載のカセットであって、
前記導電接触棒体（４１７、４１９；６１７、６１９）は方形又は矩形の断面を有する前記カセット。
【請求項６】
請求項２乃至５の何れか1項に記載のカセットであって、
前記導電接触棒体（４１７、４１９；６１７、６１９）はカセットの側部（Ａ、Ｃ）に取付けられている前記カセット。
【請求項７】
請求項２乃至５の何れか1項に記載のカセットであって、
前記導電接触棒体（４１７、４１９；６１７、６１９）は、前記カセットの側部に部分的に又は完全に凹んだ状態で形成されている前記カセット。
【請求項８】
請求項１乃至７の何れか1項に記載のカセットであって、
２つの前記係止部材（４１６、４１８；６１６、６１８）を有し、各該係止部材に前記導電接触領域（４１７、４１９；６１７、６１９）が設けられている前記カセット。
【請求項９】
請求項８に記載のカセットであって、
更に導電接続部（４２０）を有し、該電性接続部（４２０）は、前記各導電接触領域（４１７、４１９；６１７、６１９）間を伸びて、一つの導電接触領域から他の導電接触領域への導電経路を形成する前記カセット。
【請求項１０】
請求項９に記載のカセットであって、
前記導電接続部（４２０）は、前記カセットの少なくとも一つのパラメータの表示を与えるように配置されている前記カセット。
【請求項１１】
請求項１乃至１０何れか1項に記載のカセットであって、
前記導電接触領域（４１７、４１９；６１７、６１９）は、前記カセットの少なくとも一つのパラメータの表示を与えるように配置されている前記カセット。
【請求項１２】
請求項１乃至１１の何れか1項に記載のカセットであって、
前記カセットの導電接触領域（４１７、４１９；６１７、６１９）は、カセットの前記係止部材（４１６、４１８；６１６、６１８）の上面に設けられており、カセットがテーププリンタ内に正しく挿入されたとき、前記係止部材（４１６、４１８；６１６、６１８）の上面は、プリンタ上のカセット収納ベイ（８、８´）の開口部に向き合い、前記カセットは該開口部を介して前記カセット収納ベイ（８、８´）内に挿入可能である、前記カセット。
【請求項１３】
請求項１乃至１２の何れか1項に記載のカセットと組合せてなるラベルプリンタ。
【手続補正２】
【補正対象書類名】明細書
【補正対象項目名】００８９
【補正方法】変更
【補正の内容】
【００８９】
以上、本発明を、好適な実施形態を参照しながら具体的に示し、説明してきたが、当業者には、付随の特許請求の範囲によって定義される本発明の範囲から逸脱することなく、形態及び詳細事項の様々な変更がなされてもよいことが理解されるであろう。以下は、出願当初の請求項の記載である。
（請求項１）
カセットを収容するようにされているカセット収容ベイであって、ベースと、前記ベースと反対側の開口と、前記ベースと前記開口の間に延びる側壁と、を有しているカセット収容ベイと、
前記カセット収容ベイの中へ挿入されたカセットと係合するための係止位置を有する少なくとも１つの係止要素を備えているカセット係止機構と、
前記少なくとも１つの係止要素が前記カセット収容ベイの中へ挿入されたカセットと係合しているか否かを判定する働きをするカセット検出手段と、を備えている、ラベル印字装置。
（請求項２）
前記カセット検出手段によって、前記少なくとも１つの係止要素が前記カセットと係合していないということが判定されたことに応えて、印字ヘッドによる印字動作を阻止するように構成されている制御手段を備えている、請求項１に記載の装置。
（請求項３）
前記少なくとも１つの係止要素は、第１係止要素と第２係止要素を備えている、請求項１又は２に記載の装置。
（請求項４）
前記カセット検出手段は、更に、前記第１係止要素と前記第２係止要素のどちらが、前記カセット収容ベイの中へ挿入されたカセットと係合しているか、を判定する働きをする、請求項３に記載の装置。
（請求項５）
前記少なくとも１つの係止要素が前記カセット収容ベイの中へ挿入されたカセットと係合しているか否かについて、前記カセット検出手段からの出力に基づいて、ユーザーに通告するための通告手段を備えている、請求項１〜４の何れか一項に記載の装置。
（請求項６）
前記通告手段は液晶ディスプレイを備えている、請求項５に記載の装置。
（請求項７）
前記通告手段は、前記第１係止要素と前記第２係止要素のどちらがカセットと係合しているかについてユーザーに通告するように構成されている、請求項４に従属する請求項５又は６に記載の装置。
（請求項８）
前記通告手段は、前記ユーザーに、前記カセットの正しい挿入を実現するのに必要な行動の表示を提供する、請求項５、６、又は７に記載の装置。
（請求項９）
前記少なくとも１つの係止要素は、前記カセット収容ベイの中へ延びるように構成されていて、前記係止位置と、前記少なくとも１つの係止要素が前記カセット収容ベイから後退している非係止位置の間を可動である、請求項１〜８の何れか一項に記載の装置。
（請求項１０）
前記第１係止要素は、前記カセット収容ベイの側壁を貫いて延びるように構成されており、前記第２係止要素は、前記第１係止要素のそれとは異なる側壁を貫いて延びるように構成されている、請求項３〜９の何れか一項に記載の装置。
（請求項１１）
前記カセット検出手段は、前記少なくとも１つの係止要素上の離間された位置に配置されている第１導電棒体と第２導電棒体を備えている、請求項１〜１０の何れか一項に記載の装置。
（請求項１２）
前記少なくとも１つの係止要素は、前記カセット収容ベイの中へ挿入されたカセットと係合するための突起を備えており、前記第１導電棒体と前記第２導電棒体は、前記突起上の離間された位置に配置されている、請求項１１に記載の装置。
（請求項１３）
前記第１導電棒体と前記第２導電棒体の少なくとも一方は、前記少なくとも１つの係止要素の本体から離れるように付勢される、請求項１１に記載の装置。
（請求項１４）
前記第１導電棒体は、前記本体から第１の方向に離れるように付勢され、前記第２導電棒体は、前記本体から第２の方向に離れるように付勢される、請求項１３に記載の装置。
（請求項１５）
前記第１の方向は、前記第２の方向に実質的に垂直である、請求項１５に記載の装置。
（請求項１６）
前記カセット検出手段は、前記第１導電棒体と前記第２導電棒体に接続されていて、前記少なくとも１つの係止要素が前記カセット収容ベイの中へ挿入されたカセットと係合しているか否かを、前記各棒体の間に生じる電気信号に基づいて判定するように構成されている、カセット検出回路を備えている、請求項１１に記載の装置。
（請求項１７）
電気信号は、抵抗、電流、及び電圧のうち少なくとも１つからなる、請求項１６に記載の装置。
（請求項１８）
前記プリンタに正確に挿入された場合に、テーププリンタの協働する係止要素と係合するための少なくとも１つの係止部分を備えているカセットであって、前記係止部分が導電領域を備えている、カセット。
（請求項１９）
それぞれが導電領域を有する２つの係止部分を備えている、請求項１８に記載のカセット。
（請求項２０）
一方の導電領域から他方の導電領域までの導電経路を作るのに前記各導電領域の間に延びている導電接続部を更に備えている、請求項１９に記載のカセット。
（請求項２１）
前記導電接続部は、前記カセットの少なくとも１つのパラメータの表示を与えるように構成されている、請求項２０に記載のカセット。
（請求項２２）
前記導電接続部は導電トラックを備えている、請求項２０又は２１に記載のカセット。
（請求項２３）
前記導電領域は、前記カセット上の或る場所に配置されているブロックを備えている、請求項１８〜２２の何れか一項に記載のカセット。
（請求項２４）
前記導電領域は、第１接触面と第２接触面を備えており、前記第１接触面は前記第２接触面に実質的に垂直に配置されている、請求項１８〜２３の何れか一項に記載のカセット。
（請求項２５）
前記第１接触面と前記第２接触面のうち一方は前記ブロックの端面に備えられており、他方は前記ブロックの側面に備えられている、請求項２３に従属する請求項２４に記載のカセット。
（請求項２６）
前記ブロックは、円形断面を有するシリンダを備えている、請求項２３〜２５の何れか一項に記載のカセット。
（請求項２７）
前記導電領域は、前記カセットの少なくとも１つのパラメータの表示を与えるように構成されている、請求項１８〜２６の何れか一項に記載のカセット。
（請求項２８）
前記少なくとも１つの係止部分は、凹部領域を備えている、請求項１８〜２７の何れか一項に記載のカセット。
（請求項２９）
ハウジングと導電接続部を備えているカセットであって、前記導電接続部が、前記ハウジングの第１領域と第２領域の間に接続を作っている、カセット。
（請求項３０）
前記導電接続部は、前記ハウジングの少なくとも１つの面の少なくとも一部に沿って延びている、請求項２９に記載のカセット。
（請求項３１）
前記導電接続部は、前記ハウジングの天面に沿って延びている、請求項３０に記載のカセット。
（請求項３２）
前記第１領域と前記第２領域は、前記カセットがラベルプリンタに正確に挿入された場合に、前記ラベルプリンタの少なくとも１つの係止要素と係合するように構成されている、請求項２９〜３１の何れか一項に記載のカセット。
（請求項３３）
前記第１領域と前記第２領域は、前記ハウジングの実質的に互いに反対側の側面に配置されている、請求項２９〜３２の何れか一項に記載のカセット。
（請求項３４）
請求項１８〜３３の何れか一項に記載のカセットと組み合わされている、請求項１〜１７の何れか一項に記載のラベル印字装置。